【手続補正書】
【提出日】平成19年6月19日(2007.6.19)
【手続補正１】
【補正対象書類名】特許請求の範囲
【補正対象項目名】全文
【補正方法】変更
【補正の内容】
【特許請求の範囲】
【請求項１】
コインを収容するケーシングと、該ケーシング内に設けられた前記コインを水平に移動させるコイン移動フロアと、前記コインを洗浄殺菌する洗浄殺菌媒体を溜める洗剤溜めと、該洗浄殺菌媒体が前記ケーシングと前記洗剤溜め間を移動する為の洗剤孔と、前記コインを前記ケーシングに投入するためのコイン投入口と、前記コインを前記ケーシングから取り出すための開閉蓋とからなるコイン洗浄殺菌装置であって、前記洗浄殺菌媒体が粒状であることを特徴とするコイン洗浄殺菌装置。
【請求項２】
前記洗浄殺菌媒体が、無機質多孔体及び／又は有機質多孔体を核として用い、該多孔体が前記コイン表面に擦り及び／又は、吸着の物理的洗浄作用を与える洗浄殺菌媒体であることを特徴とする請求項１に記載のコイン洗浄殺菌装置。
【請求項３】
前記洗浄殺菌媒体の無機質多孔体が、ゲルタイプシリカ、ゾノトライト、アエロジル若しくはセピオライトからなり、又、前記洗浄殺菌媒体の有機質多孔体が、連続気泡のポリウレタンスポンジ、クロロプレンゴムスポンジ、シリコンゴムスポンジ、フッソゴムスポンジ、ニトリルゴムスポンジ、エチレンンプロピレンゴムスポンジ、セルロース若しくはセルロース組成物からなることを特徴とする請求項２に記載のコイン洗浄殺菌装置。
【請求項４】
前記洗浄殺菌媒体の無機質多孔体が、概300ｍ2／ｇの比表面積を有するゲルタイプシリカ、ゾノトライト、アエロジル若しくはセピオライトからなることを特徴とする請求項３に記載のコイン洗浄殺菌装置。
【請求項５】
前記粒状の洗浄殺菌媒体が、無機質抗菌剤及び／又は、有機質抗菌剤を前記無機質多孔体及び／又は、有機質多孔体に含浸して用いることを特徴とする請求項２に記載のコイン洗浄殺菌装置。
【請求項６】
前記洗浄殺菌媒体が、無機質抗菌剤として銀イオン含有アルミノ珪酸塩、亜鉛華、亜鉛イオン含有アルミノ珪酸塩若しくは硼酸亜鉛を含み、又、有機質抗菌剤としてパラクロロメタキシレノール、ヒノキチオール若しくはショウノウを含むことを特徴とする請求項５に記載のコイン洗浄殺菌装置。
【請求項７】
前記コイン移動フロアが、前記ケーシング内の底面に平行して配置され、該底面を覆い、かつ、前記粒状の洗浄殺菌媒体が移動可能な平滑な板であることを特徴とする請求項１に記載のコイン洗浄殺菌装置。
【請求項８】
前記洗剤溜めが、前記ケーシングの底面と前記コイン移動フロアの間に設置され、かつ、前記粒状の洗浄殺菌媒体を収納可能な容積を有することを特徴とする請求項１に記載のコイン洗浄殺菌装置。
【請求項９】
前記洗剤孔が、前記コイン移動フロアに開けられ配置され、かつ、前記粒状の洗浄殺菌媒体が通過可能である孔形状を有することを特徴とする請求項１に記載のコイン洗浄殺菌装置。
【請求項１０】
前記粒状の洗浄殺菌媒体及び前記コイン洗浄殺菌装置を用いることを特徴とする請求項１〜９のいずれか１項に記載の携帯型コイン分別洗浄装置。
【請求項１１】
前記粒状の洗浄殺菌媒体及び前記コイン洗浄殺菌装置を用いることを特徴とする請求項１〜９のいずれか１項に記載の固定型若しくは卓上型コイン分別洗浄装置。
【請求項１２】
コインを収容するケーシングと、該ケーシング内に設けられた前記コインを水平に移動させるコイン移動フロアと、前記コインを洗浄殺菌する粒状の洗浄殺菌媒体を溜める洗剤溜めと、該洗浄殺菌媒体が前記ケーシングと前記洗剤溜め間を移動する為の洗剤孔と、前記コインを前記ケーシングに投入するためのコイン投入口と、前記コインを前記ケーシングから取り出すための開閉蓋とからなるコイン洗浄殺菌装置に係るコイン洗浄殺菌方法であって、
（１）前記粒状の洗浄殺菌媒体を、前記ケーシングに投入し、前記コイン移動フロアに設けられた前記洗剤孔を通じて前記洗剤溜めに収容し、
（２）次に、前記コインを前記コイン投入口より前記ケーシング内の前記コイン移動フロアに投入し、前記開閉蓋を閉じ、
（３）次に、前記ケーシングを前記洗剤溜めを上にするように180度回転し、前記ケーシングを水平方向に揺すり、前記洗剤溜めに収容した前記粒状の洗浄殺菌媒体を前記洗剤孔を通じて前記コイン移動フロアに移動させ、前記投入されたコインと前記粒状の洗浄殺菌媒体を接触させ、
（４）次に、再度前記ケーシングを前記洗剤溜めを下にするように180度回転した後、更に水平方向に揺することにより、前記粒状の洗浄殺菌媒体を前記洗剤孔を通じて、前記洗剤溜めに回収して、前記コインと分離させる、
の各手段からなることを特徴とするコイン洗浄殺菌方法。
【手続補正２】
【補正対象書類名】明細書
【補正対象項目名】発明の名称
【補正方法】変更
【補正の内容】
【発明の名称】コイン洗浄殺菌装置、コイン分別洗浄装置及びコイン洗浄殺菌方法
【手続補正３】
【補正対象書類名】明細書
【補正対象項目名】０００４
【補正方法】変更
【補正の内容】
【０００４】
上記課題に対する解決手段は、殺菌作用を有する液状物質を含む粒状の洗浄媒体を作製し用いること、及び洗浄工程において、粒状の洗浄媒体とコインを接触させる装置の構造及び操作と、かつ、両者を分離する装置の構造及び操作が基本となるものである。
［解決手段１］
上記課題１を解決するために講じた解決手段１は、コイン洗浄殺菌装置のコイン洗浄殺菌媒体が粒状の媒体を備えて成ることである。
［作用］
粒状のコイン洗浄殺菌媒体は、液状のコイン洗浄殺菌媒体と異なり、装置の開閉部から漏洩することがなく、液状の媒体の場合に該開閉部に施工されるシール構造を簡素化、或いは不要とすることができる。
［実施態様１］
実施態様１は、前記解決手段１のコイン洗浄殺菌装置において、コインを収容するケーシングと、該ケーシング内に設けられたコインを水平に移動させるコイン移動フロアと、コインを洗浄殺菌する洗浄殺菌媒体を溜める洗剤溜めと、該洗浄殺菌媒体が該ケーシングと該洗剤溜め間を移動する為の洗剤孔と、コインを該ケーシングに投入するためのコイン投入口と、コインを該ケーシングから取り出すための開閉蓋とを備えて成ることである。
［作用］
コイン投入口からコインを投入し、コイン移動フロア上でコインを移動させると同時に、洗剤溜めから粒状洗浄殺菌媒体（以後、粒状洗浄殺菌媒体を粒状媒体と略記する）を洗剤孔を通してコイン移動フロアに流出させ、コインと該粒状媒体との接触を図って後、該粒状媒体を該洗剤孔を通過させて該洗剤溜めに回収し、コインと分離後に、シール構造の無い開閉蓋を開けてコインを採取することができる。
【手続補正４】
【補正対象書類名】明細書
【補正対象項目名】０００５
【補正方法】変更
【補正の内容】
【０００５】
［実施態様２］
実施態様２は前記解決手段１及び実施態様１のコイン洗浄殺菌装置において、コイン移動フロアは、該ケーシング内の底面に平行して配置され、底面を覆う平滑な板であることを備えて成ることである。
［作用］
コイン移動フロアは、該ケーシング内の底面に平行して配置され、底面を覆う平滑な板であることにより、コインの移動、粒状媒体との接触、及び収納の各操作を容易簡便に達成させることができる。
【手続補正５】
【補正対象書類名】明細書
【補正対象項目名】０００６
【補正方法】変更
【補正の内容】
【０００６】
［実施態様３］
実施態様３は、前記解決手段1、実施態様１及び実施態様２のコイン洗浄殺菌装置において、前記洗剤溜めは、該ケーシングの底面と前記コイン移動フロアの間に設置される構造を備えて成ることである。
［作用］
前記洗剤溜めは、該ケーシングの底面と前記コイン移動フロアの間に設置される構造により、粒状媒体の移動、分離、及び回収の各操作を容易簡便に達成させることができる。
【手続補正６】
【補正対象書類名】明細書
【補正対象項目名】０００７
【補正方法】変更
【補正の内容】
【０００７】
［実施態様４］
実施態様４は、前記解決手段1、実施態様１、実施態様２及び実施対応３のコイン洗浄殺菌装置において、前記洗剤孔は前記コイン移動フロアに開けられ配置される構造を備えて成ることである。
［作用］
前記洗剤孔は前記コイン移動フロアに開けられ配置される構造により、粒状媒体の移動、コインとの接触、分離、及び回収の各操作を容易簡便に達成させることができる。
【手続補正７】
【補正対象書類名】明細書
【補正対象項目名】０００８
【補正方法】変更
【補正の内容】
【０００８】
［解決手段２］
上記課題１を解決するために講じた解決手段２は、前記洗剤溜めが、前記ケーシングの底面と前記コイン移動フロアの間に設置され、該コイン移動フロアに開けられ配置された洗剤孔を通じて該ケーシング内に粒状媒体を移動させて、これとコインとを接触させるコイン洗浄殺菌方法であって、コインを洗浄殺菌した後、該洗剤孔を通じて該ケーシング中のコインから該粒状媒体を前記洗剤溜めに分離回収するコインの洗浄殺菌操作法である。
［作用］
前記洗剤溜めは前記ケーシングの底面と前記コイン移動フロアの間に設置され、前記コイン移動フロアに開けられ配置された洗剤孔を通じて前記ケーシング内に粒状媒体を移動させ、これとコインとを接触させて洗浄殺菌剤を漏洩させることなく洗浄殺菌でき、その後、該洗剤孔を通じて該ケーシングから該粒状媒体を該洗剤溜めに戻して洗浄殺菌剤を漏洩させることなくコインから分離回収することができる。
【手続補正８】
【補正対象書類名】明細書
【補正対象項目名】０００９
【補正方法】変更
【補正の内容】
【０００９】
［解決手段３］
上記課題２を解決するために講じた解決手段３は、上記記載のコイン洗浄殺菌装置、又は上記記載のコイン洗浄殺菌方法において、コインの洗浄殺菌に用いる粒状媒体に、殺菌作用を有する物質を該粒状媒体の粒状性を保持する限度内で含浸させることである。
［作用］
コインの洗浄殺菌に用いる粒状媒体に、殺菌作用を有する物質を該粒状媒体の粒状性を保持する限度内で含浸させることで、コインとの接触時に該粒状媒体との擦れ及び吸着の作用による必要最少量の殺菌剤の塗布でコイン表面を殺菌でき、コイン表面に該粒状媒体の擦れ及び吸着による物理的洗浄力を作用でき、コインの過剰濡れを除去する為の乾燥工程、乾燥時間を不要とし、コイン指触時の過剰濡れの違和感を解消できる。
【手続補正９】
【補正対象書類名】明細書
【補正対象項目名】００１０
【補正方法】変更
【補正の内容】
【００１０】
［実施態様５］
実施態様５は前記解決手段３のコイン粒状洗浄殺菌媒体において、前記殺菌作用を有する物質が抗菌性金属イオンを吸着乃至イオン交換させた抗菌性無機物質、或いは昇華性を有する抗菌性有機物質であることである。
［作用］
抗菌性金属イオンを吸着乃至イオン交換させた抗菌性無機物質の液状スラリー又は昇華性を有する抗菌性有機物質の溶融体乃至は液状スラリーを前記粒状媒体にその粒状性を保持する限度内で含浸させたものは、コインを洗浄殺菌することができる。
［解決手段４］
上記課題２を解決する為に講じた解決手段４は、コイン粒状洗浄殺菌媒体において、前記粒状媒体が無機質多孔体及び／又は有機質多孔体を核として粒状洗浄殺菌媒体を形成することである。
［作用］
前記粒状媒体の粒状を形成する核材として、無機質多孔体及び又は有機質多孔体を用いると、洗浄殺菌剤を該粒状媒体の表面だけでなく、粒内部にも包蔵することができ、洗浄殺菌能力の持久性を向上させることができる。更に、コインとの接触時にコイン表面に前記無機、有機質多孔体による物理的擦りと吸着をより効果的に与え、コインをより有効に洗浄することができ、殺菌剤がコイン表面に過剰に塗布されることを防ぎ、コインの洗浄殺菌効率を向上させるとともに、過剰濡れのコイン表面の手触りの違和感を解消することができる。
【手続補正１０】
【補正対象書類名】明細書
【補正対象項目名】００１１
【補正方法】変更
【補正の内容】
【００１１】
［実施態様６］
実施態様６は前記解決手段４の粒状洗浄殺菌媒体において、前記無機質多孔体及び又は有機質多孔体が、高比表面積珪酸、高比表面積珪塩類、連続気泡型スポンジ、及びセルロースであることであることである。
［作用］
前記無機質多孔体及び又は有機質多孔体が、高比表面積珪酸、高比表面積珪塩類、連続気泡型スポンジ、及びセルロースであることで、コイン洗浄殺菌媒体の粒状核が形成され、前記殺菌作用を有する物質を含浸でき、コインを必要最少量で洗浄殺菌でき、その後、コインより分離することができ、以上の各操作機能を繰り返す耐久性を得ることができる。
【手続補正１１】
【補正対象書類名】明細書
【補正対象項目名】００１２
【補正方法】変更
【補正の内容】
【００１２】
［実施態様７］
実施態様７は解決手段１のコイン洗浄殺菌装置、解決手段２のコイン洗浄殺菌法、及び解決手段３〜４のコイン洗浄殺菌媒体を用い且つコイン分別機能の構造を備えてなる携帯型コイン分別洗浄装置である。
［作用］
コイン分別構造体を付加した携帯型の前記コイン洗浄殺菌装置において、前記コイン洗浄殺菌法により、前記コイン粒状洗浄殺菌媒体を用いてコインを洗浄殺菌すると、コイン洗浄殺菌と同時にコイン分別を行うことが出来る。
［実施態様８］
実施態様８は解決手段１のコイン洗浄殺菌装置、解決手段２のコイン洗浄殺菌法、及び解決手段３〜４のコイン洗浄殺菌媒体を用い且つコイン分別収納室の構造を備えてなる固定型コイン分別洗浄装置である。
［作用］
コイン分別収納室の構造を付加した固定型（卓上型）の前記コイン洗浄殺菌装置において、前記コイン洗浄殺菌法により、前記コイン粒状洗浄殺菌媒体を用いてコインを洗浄殺菌すると、該コイン分別収納室のコインを常に洗浄殺菌状態に保つことができる。
【手続補正１２】
【補正対象書類名】明細書
【補正対象項目名】００１３
【補正方法】変更
【補正の内容】
【００１３】
本発明の効果を整理すると、次のとおりである。
（１）粒状のコイン洗浄殺菌媒体は、液状のコイン洗浄殺菌媒体と異なり、装置の開閉部から漏洩することがなく、液状の媒体の場合に該開閉部に施工されるシール構造を簡素化、或いは不要とすることができる。
【手続補正１３】
【補正対象書類名】明細書
【補正対象項目名】００１４
【補正方法】変更
【補正の内容】
【００１４】
（２）本発明の構造を備えて成るコイン洗浄殺菌装置において、コインの投入、コインの収納、粒状媒体の収納、コインと粒状媒体の接触、コインと粒状媒体の分離、粒状媒体の回収収納、開閉蓋の開放、及び洗浄殺菌済みコインの採取からなる、コイン洗浄殺菌採取の操作とその操作の反復とを有効、簡便、容易に実現することができる。
【手続補正１４】
【補正対象書類名】明細書
【補正対象項目名】００１５
【補正方法】変更
【補正の内容】
【００１５】
（３）前記コイン洗浄殺菌装置におけるコイン移動フロアは、該ケーシング内の底面に平行して配置され、底面を覆う平滑な板であり、前記洗剤溜めが前記ケーシングの底面と前記コイン移動フロアの間に設置され、該コイン移動フロアに開けられ配置された洗剤孔を通じて該ケーシング内に粒状媒体を移動させ、これとコインとを接触させ、コインを洗浄殺菌した後、該洗剤孔を通じて該ケーシング中のコインから該粒状媒体を前記洗剤溜めに分離回収する本発明のコインの洗浄殺菌操作法によると、コインを短時間に、簡便に、有効に洗浄殺菌できる。
【手続補正１５】
【補正対象書類名】明細書
【補正対象項目名】００１６
【補正方法】変更
【補正の内容】
【００１６】
（４）コインの洗浄殺菌に用いる粒状媒体に、殺菌作用を有する物質を該粒状媒体の粒状性を保持する限度内で含浸させることで、コインとの接触時に該粒状媒体との擦れ及び吸着の作用による必要最少量の殺菌剤の塗布でコイン表面を殺菌でき、コイン表面に該粒状媒体の擦れ及び吸着による物理的洗浄力を作用でき、コインの過剰濡れを除去する為の乾燥工程、乾燥時間を不要とし、コイン指触時の過剰濡れの違和感を解消できる。
【手続補正１６】
【補正対象書類名】明細書
【補正対象項目名】００１７
【補正方法】変更
【補正の内容】
【００１７】
（５）前記粒状媒体の粒状を形成する核材として、無機質多孔体及び又は有機質多孔体を用いると、洗浄殺菌剤を該粒状媒体の表面だけでなく、粒内部にも包蔵することができ、洗浄殺菌能力の持久性を向上させることができる。更に、コインとの接触時にコイン表面に前記無機、有機質多孔体による物理的擦りと吸着をより効果的に与え、コインをより有効に洗浄することができ、殺菌剤がコイン表面に過剰に塗布されることを防ぎ、コインの洗浄殺菌効率を向上させるとともに、コイン表面の手触りの違和感を解消した抗菌コート状態のコインを得ることができる。
【手続補正１７】
【補正対象書類名】明細書
【補正対象項目名】００１８
【補正方法】変更
【補正の内容】
【００１８】
（６）コイン分別構造体を付加した携帯型の前記コイン洗浄殺菌装置において、前記コイン洗浄殺菌法により、前記コイン粒状洗浄殺菌媒体を用いてコインを洗浄殺菌すると、コイン洗浄殺菌と同時にコイン分別を行うことが出来る。
（７）コイン分別収納室の構造を付加した固定型（卓上型）の前記コイン洗浄殺菌装置において、前記コイン洗浄殺菌法により、前記コイン粒状洗浄殺菌媒体を用いてコインを洗浄殺菌すると、該コイン分別収納室のコインを常に洗浄殺菌状態に保つことができる。
【手続補正１８】
【補正対象書類名】明細書
【補正対象項目名】００２０
【補正方法】変更
【補正の内容】
【００２０】
本発明の実施例１について図１を参照しながら説明する。
先ず、本発明において、日本国内コイン（５００円１枚、１０円１枚、１００円１枚、５円１枚、５０円１枚、及び１円３枚の例示）をケーシング１に入れて洗浄殺菌する場合、開閉蓋１３を開け、粒状洗浄殺菌媒体７を洗剤溜め３の容量の約３０％の容量で、ケーシング１内に投入し、コイン移動フロア２の洗剤孔４を通して洗剤溜め３に収納する。次に例示したコイン群をコイン移動フロア２上に投入し開閉蓋１３を閉じて、ケーシング１を180度回転し、洗剤溜め３を上にして、水平方向に揺すり、洗剤溜め３に収納した同媒体７を洗剤孔４を通してケーシング１内に流入させ、例示のコイン群と接触状態にし、更に数秒間水平揺すりを加えてコイン群と同媒体７の接触、衝突、擦りを図り、再度ケーシング１を180度回転させ、水平揺すり下に同媒体７を洗剤孔４を通して、洗剤溜め３に回収してコイン群と分離させ、開閉蓋１３を開けて、コイン移動フロア２上の洗浄殺菌されたコイン群を計数採取する。
【手続補正１９】
【補正対象書類名】明細書
【補正対象項目名】００２１
【補正方法】変更
【補正の内容】
【００２１】
本発明の実施例２について説明する。
この実施例２は図１の洗浄殺菌媒体２の作製につき例示するものである。
無機質多孔体として、BET法比表面積３００［ｍ2／ｇ］、平均粒子径４μｍ、吸油量２８０［ｍｌ／１００ｇ］のゲルタイプシリカ（水澤化学（株）製ミズカシルＰ−７０７）１．０ｇと（無機質多孔体としてはこの他に、比表面積３００［ｍ2／ｇ］前後のゾノトライト、アエロジル、或いはセピオライト等を使用することが出来る）、無機質抗菌剤として、銀イオン含有アルミノ珪酸塩（（株）シナネンゼオミック製ゼオミックAW10N）０．５ｇと（無機質抗菌剤としてはこの他に、亜鉛華、亜鉛イオン含有アルミノ珪酸塩、硼酸亜鉛等を使用することが出来る）、イオン交換水５０ｇとを（株）石川式擂潰機(型式AGB)で10分間磨砕混合し、均一混合スラリーとして１０mlを採取する。
【手続補正２０】
【補正対象書類名】明細書
【補正対象項目名】００２２
【補正方法】変更
【補正の内容】
【００２２】
有機質多孔体として、見掛け密度０．０６［ｇ／ｃｍ3］、JISK6253硬度１５、粒径３ｍｍφの連続気泡のポリウレタンスポンジ粒２０ｍｌに、前記均一混合スラリー１０ｍｌを均等に含浸させることにより、ポリウレタンスポンジとゲルタイプシリカを核とする粒状コイン洗浄殺菌媒体１２ｇを得る。
（有機質多孔体としてはこの他に、連続気泡のポリスチレンスポンジ、クロロプレンゴムスポンジ、シリコンゴムスポンジ、フッソゴムスポンジ、ニトリルゴムスポンジ、エチレンプロピレンゴムスポンジ、セルロース、及びセルロース組成物等を使用することが出来る）
【手続補正２１】
【補正対象書類名】明細書
【補正対象項目名】００２３
【補正方法】変更
【補正の内容】
【００２３】
本発明の実施例３について説明する。
この実施例３は図１の洗浄殺菌媒体２の作製につき再度例示するものである。
無機質多孔体として、BET法比表面積４００［ｍ2／ｇ］、平均粒子径１０μｍ、吸油量２５０［ｍｌ／１００ｇ］のゲルタイプシリカ（水澤化学（株）製ミズカソーブ）１．０ｇと、有機質抗菌剤として、パラクロロメタキシレノール（和光純薬工業（株）試薬特級）１．０ｇと（有機質抗菌剤としてはこの他に、ヒノキチオール、ショウノウ等を使用することが出来る）、無水エタノール５０ｍｌとを（株）石川式擂潰機(型式AGB)で10分間磨砕混合し、均一混合スラリーとして１０mlを採取する。
【手続補正２２】
【補正対象書類名】明細書
【補正対象項目名】００２４
【補正方法】変更
【補正の内容】
【００２４】
有機質多孔体として、見掛け密度０．０６［ｇ／ｃｍ3］、JISK6253硬度１５、粒径３ｍｍφの連続気泡のポリウレタンスポンジ粒２０ｍｌに、前記均一混合スラリー１０ｍｌを均等に含浸させた後、加熱減圧下にエタノールのみを溜去することにより、ポリウレタンスポンジとゲルタイプシリカを核とする粒状コイン洗浄殺菌媒体１．６ｇを得る。
【手続補正２３】
【補正対象書類名】明細書
【補正対象項目名】００２５
【補正方法】変更
【補正の内容】
【００２５】
本発明の実施例４について図２を参照しながら説明する。
前記記載のコイン分別構造体として、特許公報  JP3595880号（発明の名称  コイン分別洗浄ケース及びコイン分別ケース）の図２表1“コイン分別孔の形状寸法”に記載のNo.３コイン分別孔よりなるコインフィルタを本発明図２のごとく本発明図１の携帯型コイン洗浄殺菌装置に設置する。
No.3コインフィルタは、長軸Xが２２．２ｍｍ、対角線Ｙが２２．４ｍｍの矩形孔が図２の様に６個配列された格子体である。
この格子は1円、50円、5円の硬貨を通過させ、100円、10円、500円の硬貨を留めて日本国流通硬貨を二分割に分別するコイン分別構造体である。
【手続補正２４】
【補正対象書類名】明細書
【補正対象項目名】００２７
【補正方法】変更
【補正の内容】
【００２７】
本発明の実施例５について図３を参照しながら説明する。
前記記載のコイン分別収納室を装備したコイン洗浄殺菌装置において、図３に示されるごとく各コイン分別収納室が１個のコイン洗浄殺菌装置であり、500円、100円、50円、10円、5円、1円の６個の収納室からなる。
図３のＡゾーンの収納室の配列では、各室の開閉蓋は開除されており、各室に実施例２記載と同等の粒状媒体２２が配給され、コイン移動フロア１９の洗剤孔２０から洗剤溜め２１に収納される。
開放されている各コインケーシング１８にコインがそれぞれ分別収納される。
室配列ＡゾーンはスライドしてＢ配列に移り、各室に開閉蓋が装着され、閉封される。各室は中心軸２５の周りを180度回転し、開閉蓋を下にして、各室軸２５方向に15秒間水平往復運動し、コインと粒状媒体２２を混合接触させる。
各室を再度軸２５中心に180度回転させ、開閉蓋を上にし、軸２５方向に水平往復運動を15秒間行うと、コインはコイン移動フロア１９に残り、粒状媒体２２は洗剤孔２０を経て洗剤溜め２１に分離回収される。駆動系Ａを作動させると各室の開閉蓋が開除され、室列は開閉蓋無しの状態でＡゾーンに移り、蓋開放状態になる。
粒状媒体２２により抗菌コートされたコインが指先で計数採取されると、同時に抗菌された指先は、安全に食品或いは口元に接触することができる。本実施例５の卓上型コイン洗浄殺菌装置は、A及びＢゾーンの駆動電気回路を公知のレジスター電気回路と連動させるとコイン洗浄殺菌レジスターの機能を発揮する。